(57)【要約】【課題】第１の通信装置および第２の通信装置が、第３の通信装置と並行して通信する際に、第１の通信装置が接続するコアネットワークの状況に応じて、第２の通信装置のデータ取得元を適切に制御すること。【解決手段】第１の通信装置および第２の通信装置が、並行して第３の通信装置と通信する際の、その通信を制御する制御装置は、第１の通信装置が接続するコアネットワークの混雑の状態を示す情報を取得し、その情報に基づいて、第２の通信装置が、第３の通信装置へ送信するデータを、コアネットワークを介して取得するか、コアネットワークを介さないで取得するかのいずれかを選択する。【選択図】  図５
2016146540.tif 000002
【特許請求の範囲】
【請求項１】
第１の通信装置および第２の通信装置が、並行して第３の通信装置と通信する際の、当該通信を制御する制御装置であって、
前記第１の通信装置が接続するコアネットワークの混雑の状態を示す情報を取得する取得手段と、
前記情報に基づいて、前記第２の通信装置が、前記第３の通信装置へ送信するデータを、前記コアネットワークを介して取得するか、前記コアネットワークを介さないで取得するかのいずれかを選択する選択手段と、
を有することを特徴とする制御装置。
【請求項２】
前記制御装置は、前記コアネットワークにおけるノードに含まれる、
ことを特徴とする請求項１に記載の制御装置。
【請求項３】
前記第１の通信装置へ、前記選択の結果を通知する通知手段をさらに有する、
ことを特徴とする請求項２に記載の制御装置。
【請求項４】
前記制御装置は、前記第１の通信装置に含まれる、
ことを特徴とする請求項１に記載の制御装置。
【請求項５】
前記情報は、前記コアネットワークに含まれるノードのそれぞれのトランザクション数を示す値、前記ノードのそれぞれのハードウェアの負荷を示す値、前記コアネットワークの回線使用率を示す値、前記コアネットワークに対応する通信可能領域に在圏する第３の通信装置の数を示す値、の少なくともいずれかの値を含む、
ことを特徴とする請求項１から４のいずれか１項に記載の制御装置。
【請求項６】
前記選択手段は、前記情報に含まれるいずれかの値が所定値以上である場合、前記第２の通信装置が、前記第３の通信装置へ送信するデータを前記コアネットワークを介さないで取得することを選択する、
ことを特徴とする請求項５に記載の制御装置。
【請求項７】
前記第２の通信装置が前記コアネットワークを介して取得したデータを前記第３の通信装置へ送信する場合、当該データは前記第１の通信装置から前記第２の通信装置へ転送される、
ことを特徴とする請求項１から６のいずれか１項に記載の制御装置。
【請求項８】
前記第２の通信装置が前記コアネットワークを介して取得したデータを前記第３の通信装置へ送信する場合、当該データは前記コアネットワークに含まれるノードから前記第２の通信装置へ転送される、
ことを特徴とする請求項１から６のいずれか１項に記載の制御装置。
【請求項９】
第１の通信装置および第２の通信装置が、並行して第３の通信装置と通信する際の、当該通信を制御する制御装置の制御方法であって、
取得手段が、前記第１の通信装置が接続するコアネットワークの混雑の状態を示す情報を取得する取得工程と、
選択手段が、前記情報に基づいて、前記第２の通信装置が、前記第３の通信装置へ送信するデータを、前記コアネットワークを介して取得するか、前記コアネットワークを介さないで取得するかのいずれかを選択する選択工程と、
を有することを特徴とする制御方法。
【請求項１０】
第１の通信装置および第２の通信装置が、並行して第３の通信装置と通信する際の、当該通信を制御する制御装置に備えられたコンピュータに、
前記第１の通信装置が接続するコアネットワークの混雑の状態を示す情報を取得する取得工程と、
前記情報に基づいて、前記第２の通信装置が、前記第３の通信装置へ送信するデータを、前記コアネットワークを介して取得するか、前記コアネットワークを介さないで取得するかのいずれかを選択する選択工程と、
を実行させるためのプログラム。
【発明の詳細な説明】
【技術分野】
【０００１】
本発明は異種無線通信技術が混在する無線通信システムにおける通信制御技術に関する。
【背景技術】
【０００２】
第３世代パートナーシッププロジェクト（３ＧＰＰ）において、ロングタームエボリューション（ＬＴＥ）と無線ＬＡＮとを協働させることについての提案が行われている。例えば、非特許文献１は、無線リンク制御（ＲＬＣ）レイヤにおいて、ＬＴＥのキャリアアグリゲーションのようにして、ＬＴＥと無線ＬＡＮとを統合することを提案している。
【０００３】
１つの無線端末（以下、「端末」と呼ぶ。）に対して、ＬＴＥの基地局と無線ＬＡＮのアクセスポイント（ＡＰ）とが協働してパケットを送信する場合、ＡＰは、ＬＴＥのコアネットワークを通じずに送信対象のパケットを取得することができる。また、ＡＰは、ＬＴＥのコアネットワークを通じて（例えば基地局又はコアネットワーク上のノードから）送信対象のパケットを取得することもできる。すなわち、第１の通信手法では、ＬＴＥの基地局はＬＴＥのコアネットワークから端末への送信パケットを取得する一方で、端末ＡＰはそのコアネットワークを介さずに端末への送信パケットを取得する（非特許文献１参照）。そして、第２の通信手法では、ＬＴＥの基地局とＡＰとが、共にＬＴＥのコアネットワークを介して端末への送信パケットを取得する（非特許文献２参照）。このとき、第２の通信手法の方が、例えばＬＴＥの基地局やノードによって、無線ＬＡＮの通信を制御することができるため、高度な連携をとることが可能である。
【先行技術文献】
【非特許文献】
【０００４】
【非特許文献１】３ＧＰＰ  ＴＲ  ３７．８３４  Ｖ１２．０．０、“Ｓｔｕｄｙ  ｏｎ  Ｗｉｒｅｌｅｓｓ  Ｌｏｃａｌ  Ａｒｅａ  Ｎｅｔｗｏｒｋ（ＷＬＡＮ）  −  ３ＧＰＰ  ｒａｄｉｏ  ｉｎｔｅｒｗｏｒｋｉｎｇ”、３ＧＰＰ、２０１３年１２月
【非特許文献２】Ｑｕａｌｃｏｍｍ、ＲＰ−１４０７３９、“Ｍｏｔｉｖａｔｉｏｎ  ｆｏｒ  ＬＴＥ−ＷｉＦｉ  Ａｇｇｒｅｇａｔｉｏｎ”、３ＧＰＰ、２０１４年６月
【発明の概要】
【発明が解決しようとする課題】
【０００５】
上述の第２の通信手法が用いられる場合、無線ＬＡＮを通じて送信されるデータがＬＴＥのコアネットワークを経ることとなる。したがって、ＬＴＥのコアネットワークを通過するデータ量が増大することが考えられる。一方で、第１の通信手法が用いられる場合、このようなコアネットワークの負荷の増大の問題はなくなるが、第２の通信手法と比べて、ＬＴＥの基地局と無線ＬＡＮのＡＰとの間での連携の程度が低くなってしまうことが問題となりうる。
【０００６】
本発明は、上記課題に鑑み、第１の通信装置および第２の通信装置が、第３の通信装置と並行して通信する際に、第１の通信装置が接続するコアネットワークの状況に応じて、第２の通信装置のデータ取得元を適切に制御する技術を提供することを目的とする。
【課題を解決するための手段】
【０００７】
上記目的を達成するため、本発明による制御装置は、第１の通信装置および第２の通信装置が、並行して第３の通信装置と通信する際の、当該通信を制御する制御装置であって、前記第１の通信装置が接続するコアネットワークの混雑の状態を示す情報を取得する取得手段と、前記情報に基づいて、前記第２の通信装置が、前記コアネットワークを介して取得したデータと前記コアネットワークを介さないで取得したデータとのいずれを、前記第３の通信装置へ送信するかを選択する選択手段と、を有する。
【発明の効果】
【０００８】
本発明によれば、第１の通信装置および第２の通信装置が、第３の通信装置と並行して通信する際に、第１の通信装置が接続するコアネットワークの状況に応じて、第２の通信装置のデータ取得元を適切に制御することができる。
【図面の簡単な説明】
【０００９】
【図１】複数の無線通信技術が混在する無線通信システムの構成例を示す概念図。
【図２】ＬＴＥと無線ＬＡＮとで並行して無線端末との間で行われる通信の例を示す概念図。
【図３】制御装置のハードウェア構成例を示す図。
【図４】制御装置の機能構成例を示すブロック図。
【図５】制御装置が実行する処理の流れを示すフローチャート。
【発明を実施するための形態】
【００１０】
以下、添付図面を参照して本発明の実施の形態を詳細に説明する。
【００１１】
（無線通信システム）
図１に、本実施形態に係る無線通信システムの構成例を示す。本無線通信システムは、例えば、ロングタームエボリューション（ＬＴＥ）の基地局装置、無線ＬＡＮのアクセスポイント（ＡＰ）、及び無線端末（以下、「端末」と呼ぶ。）を含んで構成される。なお、基地局装置は例えばＬＴＥ以前の世代の携帯電話など、他の無線通信規格の基地局装置であってもよいし、ＡＰもまた、いかなる無線通信規格に従う通信装置であってもよい。なお、無線ＬＡＮは、例えば２．４ＧＨｚ又は５．２ＧＨｚの周波数帯を用いるものであってもよいし、例えば６０ＧＨｚ帯などのミリ波又は準ミリ波帯を用いるものであってもよい。
【００１２】
基地局装置は、例えばＬＴＥ用のコアネットワークに接続されているものとし、そのコアネットワークから端末へ送信すべきデータ（パケット）を取得する。一方、ＡＰは、端末へ送信すべきデータを、例えばインターネットから、基地局装置が接続しているコアネットワークを介さずに取得することもできるし、そのコアネットワークを介して取得することもできる。なお、ＡＰは、基地局装置が接続しているコアネットワークを介して取得する場合、一度、基地局装置がデータを取得してそのデータを転送してもよいし、そのコアネットワーク内のノードがデータを転送してもよい。
【００１３】
なお、ＡＰは、基地局装置が用いる周波数帯域と異なる周波数帯域を用いる通信装置であればよく、必ずしも無線ＬＡＮのアクセスポイントでなくてもよいし、また、無線ＬＡＮの通信方式で通信を行う必要もない。すなわち、ＡＰは、例えば、ＬＴＥのプロトコルの少なくとも一部にしたがって、無線ＬＡＮが用いることができる周波数帯域で、他の無線ＬＡＮの通信に配慮しながら通信を行う通信装置でありうる。また、当然ながら、ＡＰは、一般的な無線ＬＡＮのＡＰとして機能する通信装置であってもよい。また、ＡＰは、図１においては、基地局装置と異なる位置に配置されているが、同じ位置に配置されてもよく、また、例えば、基地局装置内に含まれる（例えばＬＴＥと同様の手法で通信を行う）通信機能として実現されてもよい。このように、図１のＡＰは、一般的なアクセスポイントと異なり得るが、本実施形態では、説明の便宜のため、基地局装置と並行して端末と通信を行う通信装置を「ＡＰ」と呼ぶ。
【００１４】
本実施形態に係る無線通信システムでは、図２（ａ）及び（ｂ）に示すように、基地局装置とＡＰとから、それぞれ端末へデータ信号（パケット）が送信される。この端末へ送信されるべきデータは、例えば、インターネットから取得されたデータであり、例えば図２（ａ）に示すように、ＬＴＥのコアネットワーク（基地局装置が接続するコアネットワーク）を介して、基地局装置に到着する。そして、図２（ａ）の例では、基地局装置は、この到着したデータの少なくとも一部をＡＰへ転送する。なお、基地局装置は、到着したデータの全てを端末に向けて無線信号として送信してもよい。また、図２（ａ）の例では、ＡＰは、基地局装置からデータの転送を受けるが、例えば、基地局装置が接続しているコアネットワーク内のいずれかのノードからデータの転送を受けてもよい。
【００１５】
また、例えば図２（ｂ）に示すように、基地局装置は、ＬＴＥのコアネットワークを介して端末へ送信されるべきデータを取得し、一方で、ＡＰは、ＬＴＥのコアネットワークを介さずに端末へ送信されるべきデータを取得してもよい。すなわち、本実施形態に係る無線通信システムでは、ＬＴＥの基地局装置は、全ての送信対象データをＬＴＥのコアネットワークから取得するが、ＡＰは、送信対象データを、ＬＴＥのコアネットワークを介して、又は介さずに、取得することができる。なお、ＡＰがＬＴＥのコアネットワークを介して送信対象データを取得する場合は、ＬＴＥによってＡＰの通信制御を行い得るため、基地局装置とＡＰとが高度な連携を取ることができる。一方、ＡＰがＬＴＥのコアネットワークを介さずに送信対象データを取得する場合は、高度な連携を取ることはできない、又は少なくとも容易ではないが、ＬＴＥのコアネットワークの負荷を減らすことができる。
【００１６】
ここで、上述のように、図２（ａ）のように、ＡＰがＬＴＥのコアネットワークを介して送信対象データを取得する場合は、ＬＴＥのコアネットワーク内を流れるデータ量が増大し得る。この結果、コアネットワーク内を流れようとするデータ量が、コアネットワークによって取り扱うことが可能なデータ量を超えてしまう場合がある。これに対する最も簡素な解は、図２（ｂ）のように、ＡＰが、端末へ送信するデータを、ＬＴＥのコアネットワークを介さずに取得することである。しかしながら、これでは、ＬＴＥと無線ＬＡＮ（基地局装置とＡＰ）との高度な連携ができない、又は少なくとも容易ではないため、例えば、無線通信システム全体としての効率を高めることができない場合がある。
【００１７】
本実施形態では、無線通信システムは、ＡＰが、ＬＴＥのコアネットワークを介して送信対象データを取得するか、又はそのコアネットワークを介さずに送信対象データを取得するかを選択する、制御装置を含む。この制御装置は、例えば、図２（ａ）及び（ｂ）に示すように基地局装置に含まれてもよいし、基地局装置が接続するコアネットワーク内のノードに含まれてもよい。なお、制御装置がコアネットワーク内のノードに含まれている場合、制御装置は、選択結果を基地局装置（及び場合によってはＡＰ）へ通知する。すなわち、制御装置は、基地局装置またはコアネットワーク内のノードがＡＰへとデータを転送すべきか否かを示す情報として、上述の選択の結果を、基地局装置（及び場合によってはＡＰ）へ通知することが可能でありうる。
【００１８】
ここで、制御装置が図２（ａ）のような通信手法を選択した場合、基地局装置又はコアネットワーク内に含まれるノードは、ＡＰが端末へ送信すべきパケットをＡＰへと転送する。一方、制御装置が図２（ｂ）のような通信手法を選択した場合、基地局装置又はコアネットワーク内に含まれるノードは、ＡＰが端末へ送信すべきパケットについては関与せず、ＡＰは、コアネットワークを介さずに送信対象データを取得する。なお、端末は、常に基地局装置およびＡＰから並行して信号を受信しなければならないわけではなく、例えば、ＬＴＥの基地局装置からのみ、データを受信し得る。このとき、ＬＴＥの基地局装置は、端末に対して、ＬＴＥの基地局装置からのみデータを受信するか、又は基地局装置とＡＰとの両方からデータを受信するか、を指示する情報を通知し得る。
【００１９】
なお、本実施形態の制御装置は、ＬＴＥのコアネットワークの混雑の状態を示す情報を取得する。なお、制御装置は、例えば、コアネットワーク内のノードのそれぞれが能動的に送信した混雑の状態を示す情報を受信することによって取得してもよいし、各ノードに問い合わせることによって取得してもよい。また、制御装置は、混雑の状態を示す情報を、各ノードのそれぞれから取得してもよいし、ネットワーク内の所定の装置に集約された混雑の状態を示す情報を、その装置から取得してもよい。制御装置は、例えば、その混雑の状態を示す情報に基づいて、コアネットワークが所定の程度より混雑している場合は、図２（ｂ）の通信手法を選択し、コアネットワークの混雑の程度が所定の程度以下である場合は、図２（ａ）の通信手法を選択する。なお、この選択は、基地局装置とＡＰとが、端末との間で並行してデータ送信している間に行われてもよいし、並行したデータ通信が開始される前に行われてもよい。
【００２０】
すなわち、制御装置は、例えば、コアネットワークが混雑している場合には、ＡＰが、コアネットワークを介さずに送信対象データを取得する手法を選択する。これにより、コアネットワークの混雑を緩和し、又は、コアネットワークのさらなる混雑を招くことを回避することができる。また、制御装置は、コアネットワークが混雑していない場合には、ＡＰが、コアネットワークを介して送信対象データを取得する手法を選択する。これにより、コアネットワークが混雑していない間には、ＬＴＥと無線ＬＡＮの高度な連携をして、無線通信システムにおける通信効率を高めることができる。
【００２１】
なお、コアネットワークの混雑の状態を示す情報は、例えば、コアネットワークに含まれるノードのそれぞれのトランザクション数を示す値でありうる。この値は、ノードのハードウェアの一定時間内の命令の処理数に対応する。また、この値は、トランザクション数の平均値、ピーク値、瞬時値、又はこれらの仕様による最大規定数に対する割合でありうる。また、コアネットワークの混雑の状態を示す情報は、例えば、コアネットワークに含まれるノードのそれぞれのハードウェアの負荷を示す値でありうる。このハードウェアの負荷を示す値は、例えば、コアネットワークのノードのそれぞれのＣＰＵ使用率、メモリ使用率などの値でありうる。なお、コアネットワークのノードは、パケットデータネットワークゲートウェイ（Ｐ−ＧＷ）、サービングゲートウェイ（Ｓ−ＧＷ）、モビリティマネジメントエンティティ（ＭＭＥ）などを含みうる。また、コアネットワークの混雑の状態を示す情報は、コアネットワークの回線使用率を示す値でありうる。これは、コアネットワークの回線容量（例えば最大Ｘ  Ｔｂｐｓ）に対する、実際に使用されている容量（例えばＹ  Ｔｂｐｓ）の割合（例えばＹ／Ｘ）でありうる。さらに、コアネットワークの混雑の状態を示す情報は、ＬＴＥのコアネットワークに対応する通信可能領域に在圏する端末の数を示す値でありうる。すなわち、コアネットワークの混雑の状態を示す情報は、ＬＴＥのコアネットワークに接続しているＬＴＥ基地局が供する通信可能領域の在圏端末数、ＬＴＥ網内の在圏端末数を示す値でありうる。
【００２２】
なお、コアネットワークの混雑の状態を示す情報は、上述の各値のうちのいずれか１つであってもよいし、複数であってもよい。また、上述の各値は、例えば、各ノードから、定期的に制御装置へ通知されてもよいし、観測された値が所定の閾値を超えたことに応じて、制御装置へ通知されてもよい。そして、制御装置は、これらの値の少なくとも１つ又は全部が所定値以上である場合に、コアネットワークが混雑していると判定する。
【００２３】
以下では、このような処理を行う制御装置の構成と、制御装置が実行する処理の流れについて、詳細に説明する。
【００２４】
（制御装置のハードウェア構成）
図３に、制御装置のハードウェア構成例を示す。制御装置は、一例において、図３に示すようなハードウェア構成を有し、例えば、ＣＰＵ３０１、ＲＯＭ３０２、ＲＡＭ３０３、外部記憶装置３０４、及び通信装置３０５を有する。制御装置では、例えばＲＯＭ３０２、ＲＡＭ３０３及び外部記憶装置３０４のいずれかに記録された制御装置の各機能を実現するプログラムがＣＰＵ３０１により実行される。
【００２５】
そして、制御装置は、例えばＣＰＵ３０１により通信装置３０５を制御して、制御装置とコアネットワーク内の各ノード又は基地局装置およびＡＰの相互の通信を行う。なお、図３では、制御装置は、１つの通信装置３０５を有するとしているが、これに限られず、複数の通信装置を有し得る。
【００２６】
なお、制御装置は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００２７】
（制御装置の機能構成）
図４に、制御装置の機能構成例を示す。制御装置は、例えば、その構成として、通信部４０１、混雑情報取得部４０２、及び通信手法選択部４０３を有する。通信部４０１は、例えば、基地局装置、ＡＰ、コアネットワーク内のノードと通信する機能を有する。なお、通信部４０１は、制御装置がパケットをＡＰへ転送するノード又は基地局装置に含まれる場合、例えば、装置内のバスを介して、当該ノード又は基地局装置へ情報を通知しうる。一方、他のノードやＡＰに対しては、通信部４０１は、情報の受信または送信を行う通信インタフェース（例えば有線通信インタフェース）でありうる。
【００２８】
混雑情報取得部４０２は、通信部４０１を介して、コアネットワーク内のノードから、上述のようなコアネットワークの混雑の状態を示す情報を取得する。取得された混雑の状態を示す情報は、通信手法選択部４０３へ入力される。ここで取得される情報は、上述のように、コアネットワーク内の各ノードのトランザクション数、ハードウェア負荷指標、コアネットワークの回線使用率、コアネットワークに対応する通信可能領域に在圏する端末数、の少なくともいずれかを示す値を含みうる。
【００２９】
通信手法選択部４０３は、コアネットワークの混雑の状態に応じて、ＡＰがコアネットワークを介して端末への送信対象パケットを取得する通信手法と、ＡＰがコアネットワークを介さずに端末への送信対象パケットを取得する通信手法とのいずれかを選択する。通信手法選択部４０３は、例えば上述のように、コアネットワークが混雑している場合は、図２（ｂ）のように、ＡＰがＬＴＥのコアネットワークを介さずに端末へ送信すべきデータを取得する通信手法を選択する。一方で、通信手法選択部４０３は、例えば上述のように、コアネットワークが混雑していない場合は、図２（ａ）のように、ＡＰがＬＴＥのコアネットワークを介して端末へ送信すべきデータを取得する通信手法を選択する。そして、通信手法選択部４０３は、選択の結果を、通信部４０１を介して、基地局装置（及び図２（ａ）のような通信手法が選択された場合にパケットをＡＰへ転送するノード（場合によってはさらにＡＰ））へ通知する。図２（ａ）のような通信手法が選択された場合、パケットをＡＰへ転送するノード又は基地局装置は、制御装置からの通知に応じて、ＡＰによって端末へ送信されるべきパケットをＡＰへ転送する。なお、図２（ａ）の通信手法が選択されたとしても、図２（ｂ）の通信手法が選択されたとしても、データ取得経路の変更に応じて、基地局装置と端末との間の設定処理が要求される。その設定処理に係る設定シーケンスが実行されることによって、端末が通信手法の選択の結果を把握し、ＡＰは端末へ送信するデータの取得元を切り替えることができる。なお、ＡＰは、例えば、通信手法選択部４０３から選択の結果を取得した後に、端末と基地局装置との間の設定シーケンスが完了したことに応じて、例えば自律的に、送信対象データの取得元を切り替えてもよい。
【００３０】
（処理の流れ）
図５に、本実施形態の制御装置が実行する処理の流れの例を示す。まず、制御装置は、端末とＬＴＥの基地局装置の通信に先立って、又は端末とＬＴＥの基地局装置との通信中に、ＬＴＥのコアネットワークの混雑の状態を示す情報を取得する（Ｓ５０１）。そして、制御装置は、コアネットワークの混雑の状態を示す情報に基づいて、図２（ａ）及び図２（ｂ）のいずれの通信手法を用いるかを選択する（Ｓ５０２）。すなわち、制御装置は、ＡＰがコアネットワークを介して送信対象データを取得するか、コアネットワークを介さずに送信対象データを取得するかの選択を行う。そして、制御装置は、選択の結果を、基地局装置（場合によってはデータをＡＰへ転送するコアネットワークのノード）へ、この選択結果を通知する（Ｓ５０３）。そして、基地局装置は、この選択結果の通知を受けて、図２（ａ）及び図２（ｂ）のうちの使用される通信手法による通信のための設定処理を、端末との間で実行する。すなわち、図２（ａ）の通信手法が選択されたとしても、図２（ｂ）の通信手法が選択されたとしても、データ取得経路の変更に応じて、基地局装置と端末との間で設定処理が実行される（Ｓ５０４）。その設定処理に係る設定シーケンスにおいて、端末は、通信手法の選択の結果を把握する。そして、この設定シーケンスによる通信手法の切り替え処理が行われた後に、ＡＰによる端末へ送信するデータの取得元が切り替えられる。
【００３１】
図２（ａ）のような通信手法が選択された場合にパケットをＡＰへ転送する基地局装置又はコアネットワークのノードは、選択の結果を受け取ると、その結果に応じて、端末への送信対象データをＡＰへ転送し、又は転送しないための制御を行う。すなわち、基地局装置又はノードは、受け取った選択結果が図２（ａ）の通信手法を用いることを示す場合は、端末への送信対象データ（パケット）の少なくとも一部を、ＡＰへと転送する。なお、基地局装置またはノードは、場合によっては、端末への送信対象データの全てを端末へ送信し、ＡＰへは転送しなくてもよい。一方で、基地局装置又はノードは、受け取った選択結果が図２（ｂ）の通信手法を用いることを示す場合は、そのような送信対象データ（パケット）のＡＰへの転送を行わない。なお、この制御は、基地局装置と端末との間で、制御装置の選択結果に応じた通信手法の切り替えのための設定処理が完了した後に、行われる。すなわち、基地局装置と端末との間の設定処理が行われた後に、ＡＰは、送信対象データの取得元を切り替える。また、そもそも端末がＡＰからデータを受信する環境にない場合は、基地局装置は、端末とＡＰとの通信が行われるべきと判断した場合に、制御装置による選択結果に応じた設定処理を行う。そして、その後に、端末は、制御装置による選択結果に応じた通信手法で、基地局装置とＡＰとからデータを受信する。
【００３２】
以上により、制御装置は、例えば、コアネットワークが混雑している場合にＡＰがコアネットワークを介さずに送信対象データを取得する手法を選択し、コアネットワークの混雑を緩和し、又はコアネットワークの更なる混雑を招くことを回避することができる。また、制御装置は、コアネットワークが混雑していない場合にＡＰがコアネットワークを介して送信対象データを取得する手法を選択し、コアネットワークが混雑していない間には、無線通信システムにおける通信効率を高めることができる。
【図１】
2016146540.tif 000003
【図２】
2016146540.tif 000004
【図３】
2016146540.tif 000005
【図４】
2016146540.tif 000006
【図５】
2016146540.tif 000007